(57)【要約】【課題】            装着感がよく安定した装着ができるブラジャーを提供する。【解決手段】        この発明は、カップの周縁に沿った縫い代３ａ，３ｂ，５ａ，５ｂを介してブラジャー本体を構成する表布４ａ及び裏布４ｂからなる本体布４を取り付け、カップの周縁表面側の縫い代５ａ，５ｂ内にワイヤ１を収容したブラジャーを改良するものであり、特に本体布４の表布４ａ及び裏布４ｂをカップ布２の表面側に重ねて縫着するものである。  上記本体布４の表布４ａと裏布４ｂの間にワイヤ１を収容し、カップ周縁の裏側に肌面接触用の保護部材１８を装着している。【選択図】          図３
2005060893.tif 000002
【特許請求の範囲】
【請求項１】
カップの周縁に沿った縫い代（３ａ，３ｂ，５ａ，５ｂ）を介してブラジャー本体を構成する表布（４ａ）及び裏布（４ｂ）からなる本体布（４）を取り付け、カップの周縁表面側の縫い代（５ａ，５ｂ）内にワイヤ（１）を収容したブラジャーにおいて、本体布（４）の表布（４ａ）及び裏布（４ｂ）をカップ布（２）の表面側に重ねて縫着してなるワイヤ入りブラジャー。
【請求項２】
本体布（４）の表布（４ａ）と裏布（４ｂ）の間にワイヤ（１）を収容した請求項１のワイヤ入りブラジャー。
【請求項３】
カップ周縁の裏側に肌面接触用の保護部材（１８）を装着してなる請求項１又は２のワイヤ入りブラジャー。
【請求項４】
ワイヤ（１）を保護布（６）で覆った状態で縫い代（５ａ），（５ｂ）内に収容した請求項１，２又は３のワイヤ入りブラジャー。
【発明の詳細な説明】
【技術分野】
【０００１】
この発明はブラジャーの乳房保形力を確保するためにカップの周縁内に円弧状のワイヤを挿入したワイヤ入りブラジャーに関する。
【背景技術】
【０００２】
従来下記特許文献１に示すように、ワイヤ入りブラジャーのワイヤをカップを構成するカップ布周縁部の表面側の縫い代内に封入することにより、ワイヤによって着用者の肌面に圧迫を加えたり、肌面への着用跡の形成や炎症の発生等を防止するものが知られている。
【特許文献１】特開平１１−１０７００８号公報（図３，図４，図５）
【発明の開示】
【発明が解決しようとする課題】
【０００３】
上記特許文献のものは肌面へのワイヤの圧迫感や着用跡等の問題は改善されているが、ブラジャー本体の表布と裏布を厚手のカップ布の周端の表裏両側に縫着しているので、本体の表布及び裏布間の介在物が多く本体布が厚くなり、装着時の凹凸が大きいほか、本体表布と裏布の縫製時のズレが生じ易く、またカップ布周端（縫い代端部）において表布と裏布の段部が大きくなる等の欠点がある。
この発明はこれらの問題点を改善し、より装着感の優れたブラジャーを提供せんとするものである。
【課題を解決するための手段】
【０００４】
上記課題を解決するための本発明のブラジャーは、第１にカップの周縁に沿った縫い代３ａ，３ｂ，５ａ，５ｂを介してブラジャー本体を構成する表布４ａ及び裏布４ｂからなる本体布４を取り付け、カップの周縁表面側の縫い代５ａ，５ｂ内にワイヤ１を収容したブラジャーにおいて、本体布４の表布４ａ及び裏布４ｂをカップ布２の表面側に重ねて縫着してなることを特徴としている。
【０００５】
第２に、本体布４の表布４ａと裏布４ｂの間にワイヤ１を収容したことを特徴としている。
【０００６】
第３に、カップ周縁の裏側に肌面接触用の保護部材１８を装着してなることを特徴としている。
【０００７】
第４に、ワイヤ１を保護布６で覆った状態で縫い代５ａ，５ｂ内に収容したことを特徴としている。
【発明の効果】
【０００８】
以上の如く構成される本発明によれば、本体の表裏の布及びワイヤが共にカップ布の表面側に取り付けられるので、縫着部の厚みも小さく着用者の肌には凹凸のないカップ布の裏面が直接又は必要に応じて装着された保護布のみを介して接触することにより、カップの装着感が良く且つ装着の安定性が良い。またワイヤは本体の表布及び裏布によって厚みのあるカップ布を介在しないで被覆されるので、形状保持の安定性もよく全体がしわになり難い等の利点がある。本体布の表布と裏布をカップ布に対して最初に且つ同時に縫合できるので、ワイヤ挿入や保護部材装着等の他の作業を独立して行うことができ、仕上がりが正確になる。
【発明を実施するための最良の形態】
【０００９】
図示する本発明の実施形態のブラジャーは、一対のカップを構成するカップ布２、これらのカップ布２を相互に連結する本体布４、本体布４の両端に連結されたバック布１１、及び吊り紐１２により構成される。
【００１０】
ワイヤ１（図２，図３参照）は、周知のように半円弧状に形成され、カップ布２の下半部分の円弧に沿って挿入されている。
【００１１】
図２はワイヤ１の挿入部分の拡大断面図であり、図３はその様式図である。図２，図３において、カップ布２はカップ表布２ａと、カップ裏布２ｂとからなる。カップ表布２ａはレース生地等任意の生地が用いられる。カップ裏布２ｂは不織布等の弾力性ある生地が用いられる。
【００１２】
本体布４も本体表布４ａと本体裏布４ｂとからなり、本体表布４ａ及び裏布４ｂは前記のカップ表布２ａと同様に（できれば伸縮性のある）任意の生地が用いられる。
【００１３】
上記本体表布４ａと裏布４ｂの上端縁及びカップ布２の下端周縁に沿って一定幅の縫い代５ａ，５ｂ，３ａ，３ｂが形成されると共に、その縫い代の先端を重ね合わされた状態で内側に折返し、その折返し部１３ａ，１３ｂから分かれた表布４ａの縫い代５ａと、裏布４ｂの縫い代５ｂとの間に、ワイヤ１を包んで折返したテープ布（クインズコートテープ）６を封入収容している。
【００１４】
上記テープ布６は図２，図３に示すように外表面側が二重になるように筒帯状に折り畳んでその内部にワイヤ１を収容しているが、ワイヤ１の表面側にはさらに１枚のテープ布６′が介挿されている。これによりワイヤの表面側は三重のテープ布で被覆されており、表面側への突出が防止され弾力性も確保されている。またテープ布６をチューブ状にしたことにより、ワイヤの上下端側への突出も防止される。
【００１５】
上記の折返し部１３ａ，１３ｂは、カップ表布２ａの下端縁に形成された縫い代３ａの表面に重ねられ、そのカップ表布２ａの縫い代３ａの裏面にカップ裏布２ｂの縫い代３ｂが重ねられる。
【００１６】
さらに、カップ裏布２ｂの縫い代３ｂの裏面には、必要に応じ、起毛テープ等のように弾力性を有し、着用者への肌への接触感を向上させる等の有用な機能性を備えた布材からなる保護部材１８を縫着している。
【００１７】
上記各部分の縫製は、第１の縫合線７により、カップ表布２ａの縫い代３ａの表面側に本体表布４ａと裏布４ｂを重ねて縫合する。次いで本体裏布４ｂを下向きに折り返してその縫い代５ｂの表面側にワイヤ１を包んだテープ布６を重ね、縫合線７に隣接させた第２の縫合線８により、テープ布６からカップ裏布２ｂの縫い代３ｂ間を一体縫合する。最後に本体表布４ａを下向きに折り返してテープ布６を覆い、その縫い代５ａと保護部材１８との上下両端側を第３の縫合線９ａ，９ｂにより一体縫合してカップの周縁処理を完了する。１４は本体布４の下端処理のための縫合線である。この端部処理方法は任意な方法で行われる。
【００１８】
この実施形態では、内部の縫い代３ａ，３ｂと折り返し部１３ａ，１３ｂの下端は下部の第３の縫合線９ｂに至らない長さとなっており、カップ周縁部と本体布４との厚みの段差を少なくする構造となっている。しかしカップの肌との装着の安定性をよくするために、カップ裏布２ｂの縫い代３ｂは図３の仮想線で示すように下方の縫合線９ｂまで延ばすこともできる。
【００１９】
上記のように構成されたブラジャーは、ワイヤ１と着用者の肌との間にテープ布６、カップ布２及び本体裏布４ｂが介在されるため、圧迫力が緩和される。またワイヤ１を包んだテープ布６の表面側は本体表布４ａによりカバーされ、外部からは見えない。
【産業上の利用可能性】
【００２０】
この発明は女性の肌着であるワイヤ入りブラジャーの製造に際して適用されるものである。
【図面の簡単な説明】
【００２１】
【図１】実施形態の着用状態の斜視図である。
【図２】図１のＡ−Ａ拡大断面図である。
【図３】図２の縫合構造を表す拡大斜模図である。
【符号の説明】
【００２２】
１    ワイヤ
２    カップ布
２ａ  カップ表布
２ｂ  カップ裏布
３ａ，３ｂ，５ａ，５ｂ  縫い代
４    本体布
４ａ  本体表布
４ｂ  本体裏布
６    テープ布
７    第１の縫合線
８    第２の縫合線
９ａ，９ｂ  第３の縫合線
１１  バック布
１２  吊り紐
１３ａ，１３ｂ  折り返し部
【図１】
2005060893.tif 000003
【図２】
2005060893.tif 000004
【図３】
2005060893.tif 000005